【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
原稿に形成された画像を読み取る画像読取手段と、
前記画像読取手段による読み取りの副走査方向における、前記原稿の先端と後端とを検出する原稿前後端検出手段と、
前記画像読取手段によって読み取られた読取画像の前記副走査方向に沿った長さと、前記原稿前後端検出手段によって検出された検出結果とに基づいて、前記原稿のサイズを検知する原稿サイズ検知処理を行うか否かを判断する判断手段と、
前記判断手段によって前記原稿サイズ検知処理を行うと判断されると、前記読取画像中の原稿画像と背景画像との境界の位置を示す情報に基づいて、前記原稿のサイズを検知する原稿サイズ検知手段と、
を備えることを特徴とする画像読取装置。
【請求項２】
前記判断手段は、
前記読取画像の前記副走査方向に沿った長さが、前記原稿前後端検出手段によって検出された前記原稿の先端と後端から求まる前記原稿の長さよりも、短い場合には、前記原稿サイズ検知処理を行わないと判断し、短くない場合には、前記原稿サイズ検知処理を行うと判断することを特徴とする請求項１に記載の画像読取装置。
【請求項３】
前記読取画像に含まれる各画素の画素値を前記副走査方向に微分して微分情報を取得する微分情報取得手段と、
前記微分情報に基づいて前記読取画像中の原稿画像と背景画像との境界の位置を示す境界座標情報を取得する境界座標情報取得手段と
をさらに備え、
前記原稿サイズ検知手段は、前記境界座標情報取得手段で取得した境界座標情報に基づいて、前記原稿のサイズを検知することを特徴とする請求項１又は２に記載の画像読取装置。
【請求項４】
前記境界座標情報取得手段で取得した境界座標情報に基づいて、前記読取画像中の前記原稿画像の傾きを補正する傾き補正手段を更に備え、
前記判断手段は、前記読取画像の前記副走査方向に沿った長さと、前記原稿前後端検出手段によって検出された検出結果とに基づいて、更に、前記原稿画像の傾き補正処理を行うか否かを判断し、
前記傾き補正手段は、前記判断手段によって前記傾き補正処理を行うと判断されると、前記境界座標情報に基づいて前記原稿画像の傾きを補正する
ことを特徴とする請求項３に記載の画像読取装置。
【請求項５】
前記傾き補正手段は、前記境界座標情報に基づいて、前記読取画像中の前記原稿画像の傾斜角を検出する原稿傾斜角検出手段を備え、前記検出された傾斜角に基づいて前記原稿画像の傾きを補正することを特徴とする請求項４に記載の画像読取装置。
【請求項６】
前記傾き補正手段は、前記境界座標情報及び前記傾斜角に基づいて、前記読取画像中の前記原稿画像に外接する長方形を算出する外接長方形算出手段を更に備え、前記算出された長方形に基づいて、前記原稿画像の傾きを補正することを特徴とする請求項５に記載の画像読取装置。
【請求項７】
前記原稿サイズ検知手段によって、前記サイズ検知処理が行われなかった場合、前記読取画像を表示するとともに、エラーを通知するエラー通知手段を備えることを特徴とする請求項１乃至５のいずれか１項に記載の画像読取装置。
【請求項８】
前記傾き補正手段によって、前記傾き補正処理が行われなかった場合、前記読取画像を表示するとともに、エラーを通知するエラー通知手段を備えることを特徴とする請求項４乃至６のいずれか１項に記載の画像読取装置。
【請求項９】
原稿に形成された画像を読み取る画像読取手段と、
前記画像読取手段による読み取りの副走査方向における、前記原稿の先端と後端とを検出する原稿前後端検出手段と、
前記画像読取手段によって読み取られた読取画像の前記副走査方向に沿った長さと、前記原稿前後端検出手段によって検出された検出結果とに基づいて、前記読取画像中の原稿画像の傾きを補正する傾き補正処理を行うか否かを判断する判断手段と、
前記判断手段によって前記傾き補正処理を行うと判断されると、前記読取画像中の原稿画像と背景画像との境界の位置を示す情報に基づいて、前記原稿画像の傾きを補正する傾き補正手段と、
を備えることを特徴とする画像読取装置。
【請求項１０】
原稿に形成された画像を読み取る画像読取手段と、前記画像読取手段による読み取りの副走査方向における、前記原稿の先端と後端とを検出する原稿前後端検出手段とを備える画像読取装置が、前記原稿の画像を読み取るときの画像読取方法であって、
前記画像読取手段によって読み取られた読取画像の前記副走査方向に沿った長さと、前記原稿前後端検出手段によって検出された検出結果とに基づいて、前記原稿のサイズを検知する原稿サイズ検知処理を行うか否かを判断する判断工程と、
前記判断工程において前記原稿サイズ検知処理を行うと判断されると、前記読取画像中の原稿画像と背景画像との境界の位置を示す情報に基づいて、前記原稿のサイズを検知する原稿サイズ検知工程と、
を含むことを特徴とする画像読取方法。
【請求項１１】
原稿に形成された画像を読み取る画像読取手段と、前記画像読取手段による読み取りの副走査方向における、前記原稿の先端と後端とを検出する原稿前後端検出手段とを備える画像読取装置が、前記原稿の画像を読み取るときの画像読取方法であって、
前記画像読取手段によって得られた読取画像の前記副走査方向に沿った長さと、前記原稿前後端検出手段によって検出された検出結果とに基づいて、前記読取画像中の原稿画像の傾きを補正する傾き補正処理を行うか否かを判断する判断工程と、
前記判断工程において前記傾き補正処理を行うと判断されると、前記読取画像中の原稿画像と背景画像との境界の位置を示す情報に基づいて、前記原稿画像の傾きを補正する傾き補正工程と、
を含むことを特徴とする画像読取方法。
【請求項１２】
請求項１０又は１１に記載の画像読取方法における各ステップをコンピュータに実行させるためのプログラム。
【手続補正２】
【補正対象書類名】明細書
【補正対象項目名】発明の名称
【補正方法】変更
【補正の内容】
【発明の名称】画像読取装置、画像読取方法及びプログラム
【手続補正３】
【補正対象書類名】明細書
【補正対象項目名】００１４
【補正方法】変更
【補正の内容】
【００１４】
上記目的を達成するために、本発明の画像読取装置は、原稿に形成された画像を読み取る画像読取手段と、前記画像読取手段による読み取りの副走査方向における、前記原稿の先端と後端とを検出する原稿前後端検出手段と、前記画像読取手段によって読み取られた読取画像の前記副走査方向に沿った長さと、前記原稿前後端検出手段によって検出された検出結果とに基づいて、前記原稿のサイズを検知する原稿サイズ検知処理を行うか否かを判断する判断手段と、前記判断手段によって前記原稿サイズ検知処理を行うと判断されると、前記読取画像中の原稿画像と背景画像との境界の位置を示す情報に基づいて、前記原稿のサイズを検知する原稿サイズ検知手段と、を備えることを特徴とする。
また、本発明の他の画像読取装置は、原稿に形成された画像を読み取る画像読取手段と、前記画像読取手段による読み取りの副走査方向における、前記原稿の先端と後端とを検出する原稿前後端検出手段と、前記画像読取手段によって読み取られた読取画像の前記副走査方向に沿った長さと、前記原稿前後端検出手段によって検出された検出結果とに基づいて、前記読取画像中の原稿画像の傾きを補正する傾き補正処理を行うか否かを判断する判断手段と、前記判断手段によって前記傾き補正処理を行うと判断されると、前記読取画像中の原稿画像と背景画像との境界の位置を示す情報に基づいて、前記原稿画像の傾きを補正する傾き補正手段と、を備えることを特徴とする。
【手続補正４】
【補正対象書類名】明細書
【補正対象項目名】００１５
【補正方法】変更
【補正の内容】
【００１５】
また、本発明の画像読取方法は、原稿に形成された画像を読み取る画像読取手段と、前記画像読取手段による読み取りの副走査方向における、前記原稿の先端と後端とを検出する原稿前後端検出手段とを備える画像読取装置が、前記原稿の画像を読み取るときの画像読取方法であって、前記画像読取手段によって読み取られた読取画像の前記副走査方向に沿った長さと、前記原稿前後端検出手段によって検出された検出結果とに基づいて、前記原稿のサイズを検知する原稿サイズ検知処理を行うか否かを判断する判断工程と、前記判断工程において前記原稿サイズ検知処理を行うと判断されると、前記読取画像中の原稿画像と背景画像との境界の位置を示す情報に基づいて、前記原稿のサイズを検知する原稿サイズ検知工程と、を含むことを特徴とする。
また、本発明の他の画像読取方法は、原稿に形成された画像を読み取る画像読取手段と、前記画像読取手段による読み取りの副走査方向における、前記原稿の先端と後端とを検出する原稿前後端検出手段とを備える画像読取装置が、前記原稿の画像を読み取るときの画像読取方法であって、前記画像読取手段によって得られた読取画像の前記副走査方向に沿った長さと、前記原稿前後端検出手段によって検出された検出結果とに基づいて、前記読取画像中の原稿画像の傾きを補正する傾き補正処理を行うか否かを判断する判断工程と、前記判断工程において前記傾き補正処理を行うと判断されると、前記読取画像中の原稿画像と背景画像との境界の位置を示す情報に基づいて、前記原稿画像の傾きを補正する傾き補正工程と、を含むことを特徴とする。
【手続補正５】
【補正対象書類名】明細書
【補正対象項目名】００１６
【補正方法】削除
【補正の内容】